(57)【要約】【課題】負荷部を駆動させるための制御信号の無線通信を高速化する。【解決手段】電源と、該電源から出力された電力を電磁界結合により送電する送電コイルと、該電磁界結合により受電する受電コイルと、該受電コイルから出力された電力を用いて負荷部を駆動する駆動回路と、該負荷部の駆動を制御するための制御信号を生成するコントローラと、該制御信号を含む送信信号を送信する送信結合器と、該送信結合器により送信された該送信信号を受信する受信結合器と、該受信結合器により受信された該送信信号から該駆動回路を制御するための駆動信号を生成する生成回路と、を有し、該送信結合器と該受信結合器は、電磁界結合により非接触で結合され、該送信結合器は該電磁界結合により該送信信号を送信する。【選択図】  図１
2020191758.tif 000002
【特許請求の範囲】
【請求項１】
電源と、
前記電源から出力された電力を電磁界結合により送電する送電コイルと、
前記電磁界結合により受電する受電コイルと、
前記受電コイルから出力された電力を用いて負荷部を駆動する駆動回路と、
前記負荷部の駆動を制御するための制御信号を生成するコントローラと、
前記制御信号を含む送信信号を送信する送信結合器と、
前記送信結合器により送信された前記送信信号を受信する受信結合器と、
前記受信結合器により受信された前記送信信号から前記駆動回路を制御するための駆動信号を生成する生成回路と、
を有し、
前記送信結合器と前記受信結合器は、電磁界結合により非接触で結合され、前記送信結合器は前記電磁界結合により前記送信信号を送信することを特徴とする制御システム。
【請求項２】
電源と、
前記電源から出力された電力を電磁界結合により送電する送電コイルと、
前記電磁界結合により受電する受電コイルと、
前記受電コイルから出力された電力を用いて負荷部を駆動する駆動回路と、
前記負荷部の駆動を制御するための制御信号を生成するコントローラと、
前記制御信号を含む送信信号を送信する送信結合器と、
前記送信結合器により送信された前記送信信号を受信する受信結合器と、
前記受信結合器により受信された前記送信信号から前記駆動回路を制御するための駆動信号を生成する生成回路と、
を有し、
前記送信結合器と前記受信結合器は、光結合により非接触で結合され、前記送信結合器は前記光結合により前記送信信号を送信することを特徴とする制御システム。
【請求項３】
前記電源から出力された電力の直流電圧をクロック信号を用いて交流電圧に変換して、当該交流電圧の電力を前記送電コイルに出力する変換回路を更に有し、
前記送信結合器は、前記制御信号と前記クロック信号を前記送信信号に含めて送信することを特徴とする請求項１または２に記載の制御システム。
【請求項４】
前記クロック信号は、前記変換回路により生成されることを特徴とする請求項３に記載の制御システム。
【請求項５】
前記クロック信号は、前記コントローラにより生成されることを特徴とする請求項３に記載の制御システム。
【請求項６】
前記駆動回路は、前記受電コイルから出力された電力の電圧を入力電圧とする同期整流回路と、前記同期整流回路からの出力電圧の符号を切り換える符号切替回路とを有し、前記生成回路は、前記送信信号に含まれる前記クロック信号から前記同期整流回路に対する駆動信号を生成し、前記送信信号に含まれる前記制御信号から前記符号切替回路に対する駆動信号を生成する請求項３から５のいずれか１項に記載の制御システム。
【請求項７】
前記送信信号は、前記制御信号と前記クロック信号の排他的論理和で合成された信号であることを特徴とする請求項３から５のいずれか１項に記載の制御システム。
【請求項８】
前記駆動回路は、前記受電コイルから出力された電力の電圧を入力電圧とする同期整流回路と、前記同期整流回路からの出力電圧の符号を切り換える符号切替回路とを合体した合体回路を有し、前記生成回路は、前記送信信号に含まれる前記クロック信号と前記制御信号から前記合体回路に対する駆動信号を生成する請求項７に記載の制御システム。
【請求項９】
前記駆動回路は複数のスイッチング素子を用いたフルブリッジ型で構成されることを特徴とする請求項１から８のいずれか１項に記載の制御システム。
【請求項１０】
前記複数のスイッチング素子は、双方向スイッチ型に配置されることを特徴とする請求項９に記載の制御システム。
【請求項１１】
前記駆動回路は、複数のスイッチング素子を用いたセンタータップ型で構成されることを特徴とする請求項１から８のいずれか１項に記載の制御システム。
【請求項１２】
前記送電コイルと前記送信結合器とを含む部分が、前記受電コイルと前記受信結合器とを含む部分に対して長尺であり、前記受電コイルと前記受信結合器とを含む部分は当該長尺の方向に１軸移動可能に構成されることを特徴とする請求項１から１１のいずれか１項に記載の制御システム。
【発明の詳細な説明】
【技術分野】
【０００１】
本発明は、無線通信に基づいて制御を行う制御システムに関する。
【背景技術】
【０００２】
従来、モータに電力を供給して駆動させるシステムがある。半導体露光装置では、ウエハを露光位置に移動させるためのステージ上に、ウエハ上にパターンを形成するためにウエハを微細移動させるモータが搭載されており、そのモータを駆動するための電力を供給する給電ケーブルがステージ上に接続されている。このケーブルはステージの移動に併せて動くため、ケーブルの張力がステージの位置決め精度に影響を与える。そこでモータ駆動を無線化することが考えられている。
【０００３】
モータ駆動を無線化する技術として、特許文献１には、車両が備える車輪を無線で駆動するモータシステムの構成が記載されている。当該モータシステムでは、モータ駆動するための電力を無線で伝送するだけでなく、電波を用いた無線通信を用いて受電側（可動側）にあるモータ駆動回路へ制御信号を送ることで、モータ駆動回路の制御を実現している。さらに、電波を用いた無線通信を行う上で生じる遅延の影響を処理するために、受電側に駆動電流及び駆動電圧などの検出回路を設け、検出値に基づきフィードバック制御を行うことで整流回路の制御を実現している。
【先行技術文献】
【特許文献】
【０００４】
【特許文献１】特許６２１９４９５号公報
【発明の概要】
【発明が解決しようとする課題】
【０００５】
近年、モータ等の負荷部を駆動させるための制御信号の無線通信を高速化することが求められている。例えば半導体露光装置において、露光速度の高速化及び高精度化のためには、モータ駆動のための制御信号を短い周期で送信することが求められる。特許文献１に記載の技術においては、無線ＬＡＮ等の規格に従って電波を用いた放射型の無線通信を行うため、プロトコル処理等により数百ｕｓ〜数ｍｓの遅延が生じることが考えられる。
【０００６】
本発明は上記課題に鑑みてなされたものであり、負荷部を駆動させるための制御信号の無線通信を高速化するための技術を提供することを目的とする。
【課題を解決するための手段】
【０００７】
上記目的を達成するための一手段として、本発明の制御システムは以下の構成を有する。すなわち、電源と、前記電源から出力された電力を電磁界結合により送電する送電コイルと、前記電磁界結合により受電する受電コイルと、前記受電コイルから出力された電力を用いて負荷部を駆動する駆動回路と、前記負荷部の駆動を制御するための制御信号を生成するコントローラと、前記制御信号を含む送信信号を送信する送信結合器と、前記送信結合器により送信された前記送信信号を受信する受信結合器と、前記受信結合器により受信された前記送信信号から前記駆動回路を制御するための駆動信号を生成する生成回路と、を有し、前記送信結合器と前記受信結合器は、電磁界結合により非接触で結合され、前記送信結合器は前記電磁界結合により前記送信信号を送信する。
【発明の効果】
【０００８】
本発明によれば、負荷部を駆動させるための制御信号の無線通信が高速化される。
【図面の簡単な説明】
【０００９】
【図１】駆動システムの回路ブロック図である。
【図２】第１実施形態におけるモータ駆動回路とゲート駆動回路の回路構成図である。
【図３】駆動システムの可動ステージへの適用例の概略図である。
【図４】第１実施形態における駆動システムの入出力特性の測定結果である。
【図５】第２実施形態におけるモータ駆動回路とゲート駆動回路の回路構成図である。
【図６】第２実施形態における駆動回路の動作波形の実測結果である。
【発明を実施するための形態】
【００１０】
以下、添付図面を参照して実施形態を詳しく説明する。尚、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
［第１実施形態］
図１に、第１実施形態における制御システムとしての駆動システム３００の回路のブロック構成を示す。駆動システム３００は、送電側回路１００と受電側回路２００で構成される。送電側回路１００と受電側回路２００の間は物理的には接続されておらず、送電コイル１０１から受電コイル２０１へ電力が、送信結合器１０２から受信結合器２０２へ制御信号が非接触に送られる。
【００１２】
電源１０４は負荷部としてのモータ４００を駆動する電力源である。コントローラ１０３は、光学センサなどから得られる現在のモータ４００の位置情報を元に次の位置に関する指令を出す。具体的には、コントローラ１０３は、モータ４００の推力を決める電源１０４の出力電圧振幅値と、モータ４００の動く向きを決めるモータ印加電圧符号の指令を出す。電源１０４は、出力電圧振幅値の指令をコントローラ１０３から受け取り、当該指令に基づいた振幅値の電圧を出力する。モータ印加電圧符号の指令（符号切替信号）はコントローラ１０３から送信回路１０５、送信結合器１０２、受信結合器２０２、受信回路２０３を通ってゲート駆動回路２０５へ送られる。符号切替信号により、後述するようにモータ駆動回路２０６の整流動作が１８０°反転され、モータ４００に印加される電圧の符号が正から負、もしくは負から正に逆転する。
【００１３】
＜正の電圧をモータに印加する場合の駆動システム３００の動作＞
まず、正の電圧をモータ４００に印加する場合の駆動システム３００の動作例を詳細に説明する。コントローラ１０３から出力電圧振幅値の指令を受け取った電源１０４は、当該指令に基づいた振幅値の電圧（電源出力電圧）をＳＷ回路１０６へ出力する。ＳＷ回路１０６は所定の周波数のクロック信号の生成器を持っており、生成したクロック信号でＳＷ回路１０６のスイッチング素子を駆動し、入力された電源出力電圧（直流電圧）をスイッチングし、交流波形（交流電圧）に変換する変換回路として機能する。スイッチング周波数は、コントローラ１０３の指令周波数、すなわちモータ制御周波数よりも高速であるとする。なお、クロック信号はコントローラ１０３により生成され、ＳＷ回路１０６へ供給されてもよい。
【００１４】
そして、ＳＷ回路１０６から出力された電力は送電コイル１０１に送られ、受電コイル２０１へ電磁界結合により伝達され、受電回路２０４に入力される。このとき、ＳＷ回路１０６と受電回路２０４は、インダクタンス、コンデンサを含んだ共振電源回路で形成されている。共振電源回路の各素子値は、送電コイル１０１と受電コイル２０１の各インダクタンス値とレジスタンス値、送電コイル１０１と受電コイル２０１の結合係数、スイッチング周波数、最大電源出力電圧値、最大モータ印加電圧値（モータ４００へ印加される電圧値）、モータ４００のレジスタンス値から決まる。電源出力電圧値、モータ印加電圧値はコントローラ１０３からの指令により都度変化するため、用途によって予め決めておく電圧範囲において、電源出力電圧値とモータ印加電圧値が略等しくなるように共振電源回路の各素子値は調整され得る。さらに、電源出力電圧値とモータ印加電圧値の関係を予め測定してテーブル化し、所望のモータ印加電圧値を得るための電源出力電圧値を指令するようにすればモータ４００を高精度に駆動できる。
本実施形態における電磁界結合には、電界結合と磁界結合の両方が含まれる。すなわち、無線電力伝送は電界結合によって行われてもよいし、磁界結合によって行われてもよいし、電界結合と磁界結合の両方によって行われてもよい。磁界結合には電磁誘導及び磁界共鳴が含まれる。また、無線電力伝送はマイクロ波を利用した方式で行われてもよい。なお本実施形態では、磁界結合による無線電力伝送が行われる場合を中心に説明する。
【００１５】
ＳＷ回路１０６で生成されたクロック信号は、モータ駆動回路２０６で同期整流するためにも用いられる。ＳＷ回路１０６から出力されたクロック信号と、コントローラ１０３から出力された符号切替信号は送信回路１０５に入力され、位相と振幅が調整された送信信号が生成された後、送信結合器１０２に入力される。なお、送信回路１０５は、クロック信号と符号切替信号のいずれかから送信信号を生成してもよい。位相は同期整流のタイミング調整のために、振幅は受信回路２０３で再生するために調整する。そして電磁界結合を介して受信結合器２０２に伝達し、受信回路２０３に入力される。電磁界結合を介してクロック信号を垂れ流しで送信するため、パケット送信するような無線通信で発生する遅延はなく、高速に信号を伝達することができる。受信回路２０３では受信結合器２０２で受信した信号からクロック信号を再生する。再生されたクロック信号はゲート駆動回路２０５に入力され、モータ駆動回路２０６の同期整流回路２０７（図２）を駆動する。同期整流回路を設けることで、ダイオードでは整流できない数ｍＶの小さな電圧でも整流でき、小さな電圧をモータに印加することができるため、モータ制御が高精度となる。モータ駆動回路２０６は、受電回路２０４から出力された交流波形を整流した後、出力電圧の符号を決めてモータ４００に印加する。
送信結合器１０２と受信結合器２０２との間の無線通信は、電界結合によって行われてもよいし、磁界結合によって行われてもよいし、電界結合と磁界結合の両方によって行われてもよい。本実施形態における電磁界結合による無線通信は、遠方界の電波を伝送媒体として利用する放射型の通信方式とは異なり、近傍電磁界を伝送媒体として利用する非放射型の通信方式である。
【００１６】
図２に、本実施形態におけるモータ駆動回路２０６とゲート駆動回路２０５の詳細な回路構成例を示す。モータ駆動回路２０６は、同期整流回路２０７と符号切替回路２０８を有する。ゲート駆動回路２０５は、駆動信号生成回路２１５−１〜２１５−８を有する。同期整流回路２０７は、受信回路２０３から出力されたクロック信号を元に駆動信号生成回路２１５−１〜２１５−４で生成されたゲート駆動信号により動作する。具体的には、駆動信号生成回路２１５−１〜２１５−４は、ゲート駆動信号として、同期整流回路２０７の各スイッチング素子のソース−ゲート間電圧（信号）を生成する。ソース−ゲート間電圧は受信回路２０３とモータ駆動回路２０６の間を絶縁するか、ブートストラップ回路を用いることにより生成され得る。このソース−ゲート間電圧により、同期整流回路２０７の各スイッチング素子がＯＮ／ＯＦＦされる。例えば、図２に示すクロック信号入力の２つの端子の上側が正電位のときは同期整流回路２０７の左上と右下をＯＮ、左下と右上をＯＦＦとし、上側が負電位のときは逆にすれば、同期整流回路２０７の出力は常に上側が正電位となる。このＯＮ／ＯＦＦの切り替えのタイミングは、予め受電回路２０４の出力電圧波形がゼロクロスするタイミングを測定しておき、送信回路１０５でクロック信号の位相が当該ゼロクロスするタイミングと合うように位相調整すればよい。調整後は移相量を固定しておけばよい。また、電源１０４の出力電圧振幅よってゼロクロスするタイミングが変動する場合は、予め出力電圧振幅と移相量の関係を測定しておき、送電側回路１００の中で出力電圧振幅に対して移相量を自動補正するとより整流効率が高まる。
【００１７】
符号切替回路２０８は、同期整流回路２０７の出力電圧を正のまま出力するか、負に切り替えて出力するかを選択する回路である。符号切替回路２０８の各スイッチング素子は、コントローラ１０３から出力される符号切替信号を元に駆動信号生成回路２１５−５〜２１５−８で生成されたゲート駆動信号により動作する。同期整流回路２０７と同様に、駆動信号生成回路２１５−５〜２１５−８は、ゲート駆動信号として、符号切替回路２０８の各スイッチング素子のソース−ゲート間電圧（信号）を生成する。ソース−ゲート間電圧は同期整流回路２０７と同様に、受信回路２０３とモータ駆動回路２０６の間を絶縁するか、ブートストラップ回路を用いて生成され得る。正の電圧をモータに印加する場合、符号切替回路２０８の右上と左下のスイッチング素子がＯＮ、左上と右下がＯＦＦとなる符号切替信号をコントローラ１０３が送信すればよい。
【００１８】
＜負の電圧をモータに印加する場合の駆動システム３００の動作＞
次に、負の電圧をモータ４００に印加する場合の駆動システム３００の動作例について説明する。コントローラ１０３から送信回路１０５へ送る符号切替信号の符号を反転させる以外は、正の電圧を印加する場合の動作と同じである。符号切替信号の符号を反転させると、符号切替回路２０８のスイッチング素子のＯＮ／ＯＦＦするスイッチング素子が入れ替わる。よって、符号切替回路２０８の左上と右下がＯＮ、左下と右上がＯＦＦとなり、モータ印加電圧の符号が反転する。
【００１９】
このように、モータ駆動回路２０６を制御する信号は、周波数、Ｄｕｔｙが一定のクロック信号や出力電圧の符号を切り替えるタイミングを与えるだけの単純なＯＮ／ＯＦＦ信号である。従来における一般的なモータ制御信号はＰＷＭ（パルス幅変調）信号であり、モータ駆動回路に入力される電圧振幅は一定で、モータ駆動回路に与える制御信号のパルス幅を変えることでモータ印加電圧の振幅や符号を変化させている。一方、本実施形態では、モータ印加電圧の振幅の変化は送電側回路１００の電源１０４で行われるため、スペースに制約がある受電側回路２００には必要なく、小型化が実現される。
【００２０】
図３は、半導体露光装置などの可動ステージへの駆動システム３００の適用例の概略図である。受電側回路２００は可動ステージ４０１の上に配置され、送電側回路１００に対して物理的に移動する。送電側回路１００は、可動ステージ４０１の上ではなく、その可動ステージ４０１を動かす可動ステージ動力源４０２が配置される固定側に配置されており、自身は動かない。
【００２１】
送電側回路１００と受電側回路２００との間には無線で給電、通信するための送電器１１０と受電器２１０がある。送電器１１０には送電コイル１０１と送信結合器１０２、受電器２１０には受電コイル２０１と受信結合器２０２が搭載されており、互いに非接触である。受電器２１０も可動ステージ４０１の上に配置されており、可動ステージ４０１と共に移動する。例えば、送電器１１０は受電器２１０に対して長尺であり、受電器２１０は当該長尺の方向に１軸移動可能に構成される。このように、送電器１１０を可動ステージ４０１の移動範囲をカバーするように長尺にすることで、可動ステージ４０１が任意の位置に移動してもモータを非接触に給電することができる。なお、送電器１１０と受電器２１０の配置は図３に示すものに限定されず、受電器２１０が送電器１１０に対して長尺に構成されてもよい。
【００２２】
送電コイル１０１の形状は例えば横長の楕円形のコイルであり、受電コイル２０１は送電コイル１０１に比べて短尺なコイルである。受電コイル２０１が長尺で送電コイル１０１が短尺でもよい。送信結合器１０２は例えばプリント基板に配置された長尺な差動信号配線であり、一端からクロック信号を入力し、他端は終端する。受信結合器２０２は例えばプリント基板に配置された短尺な差動信号配線であり、受信回路２０３の差動入力にそれぞれ接続される。送信結合器１０２と受信結合器２０２の各差動信号配線が対向して電磁界結合することにより信号が伝達される。受信結合器２０２が長尺で送信結合器１０２が短尺でもよい。
【００２３】
図４は、電源１０４の出力電圧に対するモータ４００への印加電圧を測定した入出力特性の測定結果（実線）である。図４において、横軸は電源１０４の出力電圧、すなわち入力電圧であり、縦軸はモータ４００への印加電圧、すなわち出力電圧である。符号切替信号を反転させて正電圧と負電圧の双方を測定している。グラフには併せて入出力が一致した場合の理想曲線（破線）も描いている。スイッチング周波数は４ＭＨｚであり、３ｍＨのインダクタを疑似負荷としてモータの代わりに接続している。図４（ｂ）からは、０Ｖ〜３０Ｖまでの任意の電圧を無線で給電できていることが分かる。理想曲線より出力電圧が低くなっている部分があるが、図４の結果を元に、理想曲線より出力電圧が低い分だけ電源出力電圧を上げるようにコントローラ１０３から電源１０４への出力電圧振幅の指令値を補正することで理想曲線に近づけることができる。
【００２４】
以上、第１実施形態を説明した。本実施形態によれば、電磁界結合を用いて非接触で可動側へモータ駆動信号を送信することにより、モータ制御の高速化が実現される。さらに、高速なクロック信号も低遅延で同期整流回路に送ることができるため、可動側に検知回路やフィードバック制御回路が不要になり、可動側回路の小型軽量化が実現される。
【００２５】
［第２実施形態］
次に、第２実施形態における駆動システム３００を説明する。以下、第１実施形態と異なる点について説明する。図５に、本実施形態におけるモータ駆動回路２０６とゲート駆動回路２０５の詳細な回路構成例を示す。第１実施形態では同期整流回路２０７と符号切替回路２０８が別々となって構成されているが、本実施形態では同期整流回路２０７と符号切替回路２０８が合体された合体回路（同期整流／符号切替回路２０９）となっている。それによりゲート駆動回路２０５の規模が半分となり、回路のさらなる小型化が実現される。
【００２６】
同期整流／符号切替回路２０９の各スイッチング素子は、駆動信号生成回路２１５−９〜２１５−１２で生成されたゲート駆動信号により動作する。駆動信号生成回路２１５−９〜２１５−１２は、ゲート駆動信号として、同期整流／符号切替回路２０９の各スイッチング素子のソース−ゲート間電圧（信号）を生成する。ソース−ゲート間電圧は第１実施形態と同様に、受信回路２０３とモータ駆動回路２０６の間を絶縁するか、ブートストラップ回路を用いて生成される。
【００２７】
スイッチング素子は、駆動信号生成回路１つ（駆動信号生成回路２１５−９〜２１５−１２のいずれか）につき２つである双方向スイッチ型に配置されている。その理由は、入力からは交流電圧が入ってくるため、スイッチング素子が１つだけでは符号が反転した際にボディダイオードでＯＮしてしまい、ゲート駆動回路によるＯＮ／ＯＦＦ制御ができなくなってしまうからである。
【００２８】
また、同期整流と符号切替を１つの回路で同時に行うため、ゲート駆動回路２０５に入力される制御信号はクロック信号と符号切替信号を合体した信号となっている。第１実施形態ではクロック信号と符号切替信号が別々であるため、送信結合器１０２と受信結合器２０２がクロック信号と符号切替信号で２ペア必要である。一方、本実施形態では１ペアの送信結合器１０２と受信結合器２０２でよく、送電器１１０と受電器２１０を小型化できる。
【００２９】
続いて、同期整流／符号切替回路２０９の動作を説明する。正の電圧をモータ４００に印加する（正電圧を出力する）間は、入力の２つの端子の上側が正電位のときは同期整流／符号切替回路２０９の左上と右下をＯＮ、左下と右上をＯＦＦとし、入力の２つの端子の上側が負電位に変わったら逆にすればよい。これは第１実施形態と同様で、ＳＷ回路１０６のスイッチングクロックに同期したゲート駆動信号を与えることで実現される。ここでもしスイッチング素子が双方向スイッチ型になっていなかったら、入力の２つの端子の上側が負電位に変わった時点でボディダイオードがＯＮしてしまい、同期整流ができなくなる。
【００３０】
そして負の電圧をモータに印加する（出力を負電圧に切り替える）ときには、この同期したゲート駆動信号を反転すればよい。すなわち、入力の２つの端子の上側が正電位のときは同期整流／符号切替回路２０９の左下と右上をＯＮ、左上と右下をＯＦＦとし、入力の２つの端子の上側が負電位に変わったら逆にすればよい。ゲート駆動回路２０５に入力される制御信号は、以上の条件が満たされれば同期整流と符号切替を１つの回路で実現できる。
【００３１】
このような制御信号は、送信回路１０５で生成すればよい。ＳＷ回路１０６から入力されるクロック信号とコントローラ１０３から入力される符号切替信号を、例えば排他的論理和で合成すれば前述の条件が満たされる。符号切替信号が“０”のときはクロック信号がそのまま送信され、符号切替信号が“１”のときはクロック信号が反転して送信される。その他の部分は第１実施形態と同じである。
【００３２】
このように同期整流と符号切替を１つの回路で実現できるのは、前述したようにモータ駆動回路２０６を制御する信号が周波数、Ｄｕｔｙが一定のクロック信号や出力電圧の符号を切り替えるタイミングを与えるだけの単純なＯＮ／ＯＦＦ信号であるからである。先行技術に記載されている一般的なモータ制御信号はＰＷＭ信号では同期整流用のクロック信号とは全く異なる波形である。そのため同期整流回路を制御できず、ゲート駆動回路の規模を減らすことはできないため、本発明で実現される小型化を実現することはできない。
【００３３】
図６（ａ）は、コントローラ１０３が出力した符号切替信号と、ゲート駆動回路２０５に入力される制御信号と、モータ４００への印加電圧の関係を示した実測波形であり、図６（ｂ）はその拡大波形である。横軸は時間で、図６（ａ）が５ｕｓ／ｄｉｖ、図６（ｂ）が２００ｎｓ／ｄｉｖである。図６（ａ）、（ｂ）ともに、上から順に符号切替信号波形、制御信号波形、印加電圧波形を示している。縦軸は電圧で、符号切替信号が２Ｖ／ｄｉｖ、制御信号が４Ｖ／ｄｉｖ、印加電圧が２Ｖ／ｄｉｖである。印加電圧波形は立ち上がる前が負電圧であり、立ち上った後は正電圧となっている。スイッチング周波数は４ＭＨｚであり、３ｍＨのインダクタを疑似負荷としてモータの代わりに接続している。
【００３４】
図６より、符号切替信号が“１”から“０”に切り替わると、ゲート駆動回路２０５に入力された制御信号、すなわちクロック信号と符号切替信号の合成信号波形の位相が反転し、印加電圧波形が負電圧から正電圧に切り替わっていることがわかる。負電圧から正電圧に切り替わるまでの時間は１０ｕｓ程度かかっているが、これは出力コンデンサや疑似負荷のインダクタによる時定数が関係しており、出力コンデンサを小さくすることでさらなる高速化が可能である。
【００３５】
また、符号切替信号が“１”から“０”に切り替わるタイミングからゲート駆動回路２０５に入力された制御信号波形の位相が反転するまでの遅延時間は１００ｎｓ以下であることが図６より確認できる。すなわち、１００ｎｓ以下の周期でモータ動作を制御することができる。これは制御信号が送信結合器１０２と受信結合器２０２を電磁界結合を介して数ｎｓの遅延のみで伝達しているからであり、従来技術のように、電波を用いた無線通信を用いた場合では、このような短い周期でモータ動作を制御することができない。また、モータ制御より高速なスイッチングのクロック信号も低遅延に送信できないため、クロック信号と符号切替信号の合成信号を送信することができない。すなわち、電波を用いた無線通信を用いた場合では、本実施形態のように、同期整流回路２０７と符号切替回路２０８を合体してゲート駆動回路２０５を小型化することもできない。本実施形態のような電磁界結合を介した制御信号の送信により、モータ制御の高速化、可動側に配置される回路の小型軽量化が実現される。
【００３６】
なお、図５における同期整流／符号切替回路２０９はフルブリッジ型で説明したが、センタータップ型でもよい。その場合、受電コイル２０１をセンタータップ型にする必要があり、配線が複雑化するが、同期整流／符号切替回路２０９のスイッチング素子の数を４つに減らすことができる。
【００３７】
［変形例］
上記に説明した実施形態では、送信結合器１０２と受信結合器２０２は電磁界結合で結合している場合について説明をしたが、光結合でもよい。レーザや指向性の鋭い発光ダイオードを固定側に配置し、ステージの移動方向に沿って発光させておき、その光路上に受光面が位置するようにフォトダイオードなどの受光素子を可動側に配置すればよい。光結合も電波を用いた無線通信よりも低遅延に送信できるが、電磁界結合と比べて発光素子や受光素子の周波数特性に依存した遅延が存在する。
【００３８】
また、受信回路２０３とゲート駆動回路２０５を動作させるための電源は、モータ印加電圧から昇降圧回路等を用いて生成してもよいし、別途送電コイルと受電コイルを設けてもよい。
【００３９】
また、送電コイル１０１や受電コイル２０１は、プリント基板の配線で形成してもよい。さらには、プリント基板に磁性シートを貼付して電磁界結合時の損失を低減してもよい。また、送電コイル１０１や受電コイル２０１は、フェライト等の磁性体とリッツ線等の巻線を用いた巻線トランスでもよい。
【００４０】
また、同期整流回路２０７は、モータ４００に印加する最低電圧の絶対値が、ダイオードで整流できる数百ｍＶ以上の場合は、ダイオードを用いた整流回路でもよい。その場合、同期整流回路２０７のゲート駆動が不要となり、受電側回路２００を小型化できる。
【００４１】
発明は上記実施形態に制限されるものではなく、様々な変更及び変形が可能である。
【符号の説明】
【００４２】
１００  送電側回路、１０１  送電コイル、１０２  送信結合器、１０３  コントローラ、１０４  電源、１０５  送信回路、１０６  ＳＷ回路、１１０  送電器、２００  受電側回路、２０１  受電コイル、２０２  受信結合器、２０３  受信回路、２０４  受電回路、２０５  ゲート駆動回路、２０６  モータ駆動回路、２０７  同期整流回路、２０８  符号切替回路、２０９  同期整流／符号切替回路、２１０  受電器、３００  駆動システム、４００  モータ、４０１  可動ステージ、４０２  可動ステージ動力源
【図１】
2020191758.tif 000003
【図２】
2020191758.tif 000004
【図３】
2020191758.tif 000005
【図４】
2020191758.tif 000006
【図５】
2020191758.tif 000007
【図６】
2020191758.tif 000008